(57)【特許請求の範囲】
【請求項１】
潤滑油基油に、組成物全量基準で、アルカリ土類金属サリチレートを０．０１〜１０重量％配合してなる回転式空気圧縮機油組成物。
【発明の詳細な説明】
【０００１】
【発明の属する技術分野】
本発明は、回転式空気圧縮機油組成物に関する。
【０００２】
【従来の技術】
省資源および無公害の点から、空気圧縮機も従来の往復式に代わって、効率がよく振動や騒音の小さい回転式が巾広く使用されている。回転式空気圧縮機の潤滑条件は、潤滑油が高温高圧の空気と接触することなど、往復式の場合よりも過酷である。また、最近の回転式空気圧縮機は更に小型化が進み、ＳＯX ，ＮＯX など酸化性ガスの雰囲気下や、切削油ミスト雰囲気下など周囲環境の悪いところで運転される機会が増えている。このような場合、オイルにスラッジが発生し、ごく短期間で装置内への付着やフィルターの閉塞を引き起こし、装置が運転不能となることがある。したがって、このような環境下において耐スラッジ性の高いオイルが求められている。
【０００３】
一般に、耐スラッジ性を高める方法として、（１）アルキルベンゼン，アルキルナフタレンやエステル油など溶解性が高い基油を混合する、（２）清浄分散剤を添加する、の二つが考えられる。（１）の方法は、高価格の基油を多量に配合するためオイルの価格が高くなるという欠点がある。（２）の方法は、（１）に対し安価であるが、酸化安定性の低下や水分離性が悪化するという欠点がある。したがって、酸化安定性、水分離性に優れ、かつスラッジ分散性効果も優れた清浄分散剤の開発が望まれている。
【０００４】
【発明が解決しようとする課題】
本発明は、上記観点からなされたもので、酸化安定性、水分離性に優れ、かつスラッジ分散性効果も優れている回転式空気圧縮機油組成物を提供することを目的とするものである。
【０００５】
【課題を解決するための手段】
本発明者は、鋭意研究を重ねた結果、清浄分散剤としてアルカリ土類金属サリチレートを使用することにより、本発明の目的を効果的に達成しうることを見出し本発明を完成したものである。すなわち、本発明は潤滑油基油に、組成物全量基準で、アルカリ土類金属サリチレートを０．０１〜１０重量％配合してなる回転式空気圧縮機油組成物を提供するものである。
【０００６】
【発明の実施の形態】
以下に、本発明の実施の形態を説明する。
先ず、本発明を構成する潤滑油基油としては、鉱油，合成油あるいはこれらの混合物を使用することができる。この鉱油や合成油の粘度については、一般に圧縮機油の基油として用いられているものであればよく、特に制限はないが、４０℃における動粘度が１０〜５００ｍｍ2 ／ｓの範囲にあるものが好ましく、２０〜１００ｍｍ2 ／ｓの範囲にあるものがより好ましい。基油の粘度が高すぎると低温始動性の悪化や、動力効率の低下を引き起こす場合がある。逆に、低すぎるとオイル消費の増大や、潤滑性不足による軸受け損傷を起こす場合がある。また、この基油の低温流動性の指標である流動点については特に制限はないが、−１０℃以下であるのが好ましい。
【０００７】
このような鉱油，合成油は各種のものがあり、用途などに応じて適宜選定すればよい。鉱油としては、例えばパラフィン基系原油，中間基系原油あるいはナフテン基系原油を常圧蒸留するか、あるいは常圧蒸留の残渣油を減圧蒸留して得られる留出油、またはこれを常法にしたがって精製することによって得られる精製油、例えば、溶剤精製油，水添精製油，脱ろう処理油，白土処理油などを挙げることができる。
【０００８】
一方合成油としては、例えば、ポリα−オレフィン，α−オレフィンコポリマー，ポリブテン，アルキルベンゼン，ポリオールエステル，二塩基酸エステル，ポリオキシアルキレングリコール，ポリオキシアルキレングリコールエステル，ポリオキシアルキレングリコールエーテル，シリコーンオイルなどを挙げることができる。
【０００９】
これらの基油は、それぞれ単独で、あるいは二種以上を組み合わせて使用することができ、鉱油と合成油を組み合わせて使用してもよい。
次に、本発明を構成するアルカリ土類金属サリチレートは、アルキルサリチル酸のアルカリ金属塩であり、中性のもの，過塩基性のものいずれも使用できる。中性アルカリ土類金属サリチレートとは、通常、炭素数１０〜１８のα−オレフィンでフェノールをアルキル化し、次いでコルベシュミット反応でカルボキシル基を導入した後、当量のアルカリ土類金属水酸化物で中和した塩をいう。過塩基性アルカリ土類金属サリチレートとは、アルカリ土類金属炭酸塩やアルカリ土類金属ホウ酸塩などで中性アルカリ土類金属サリチレートを過塩基化したものをいう。アルキルサリチル酸の具体的例としては、ドデシルサリチル酸，オクチルサリチル酸などが挙げられる。アルカリ土類金属としては、カルシウム，バリウム，マグネシウムが挙げられるが、効果の点でカルシウムが好ましい。
【００１０】
本発明においては、上記アルカリ土類金属サリチレートは一種用いてもよく、二種以上を用いてもよい。また、その配合量は、組成物全量基準で、０．０１〜１０重量％の範囲であり、０．１〜５重量％の範囲が好ましい。０．０１重量％未満では、他成分との相乗効果による清浄性が不十分であり、１０重量％を超えても、配合量に相当する効果の向上がみられない。
【００１１】
本発明の回転式空気圧縮機油組成物は、潤滑油基油に、アルカリ土類金属サリチレートを配合することによって得られるが、他の物性を向上させるために、目的を阻害しない範囲で、公知の酸化防止剤，消泡剤，流動点降下剤，金属不活性化剤，抗乳化剤，防錆剤などを適宜配合することができる。
【００１２】
【実施例】
以下に、実施例により本発明を更に具体的に説明するが、本発明はこれらの例によってなんら制限されるものではない。
〔実施例１，参考例１及び比較例１〜４〕
酸化防止剤，防錆剤，金属不活性化剤，消泡剤，抗乳化剤からなる添加剤１．３重量％を含有する水添鉱油（４０℃における動粘度３２ｍｍ2 ／ｓ）に、第１表に示す添加剤を０．３重量％配合し、圧縮機油組成物を調製した。各組成物について、ＪＩＳ  Ｋ  ２５２０（抗乳化試験）に従って乳化層３ミリリットル以下になるまでの時間（分）を測定した。その結果を第１表に示す。
【００１３】
【表１】
0003841947.tif 000002
【００１４】
（注）
＊１：全塩基価１７０ｍｇＫＯＨ／ｇ（ＪＩＳ  Ｋ  ２５０１：過塩素酸法）
＊２：全塩基価１０ｍｇＫＯＨ／ｇ（ＪＩＳ  Ｋ  ２５０１：過塩素酸法）
＊３：全塩基価３００ｍｇＫＯＨ／ｇ（ＪＩＳ  Ｋ  ２５０１：過塩素酸法）
＊４：全塩基価２００ｍｇＫＯＨ／ｇ（ＪＩＳ  Ｋ  ２５０１：過塩素酸法）
＊５：ポリイソブテニルコハク酸イミド
【００１５】
〔実施例２，参考例２及び比較例５〜８〕
酸化防止剤，防錆剤，金属不活性化剤，消泡剤，抗乳化剤からなる添加剤１．３重量％を含有する水添鉱油（４０℃における動粘度３２ｍｍ2 ／ｓ）に、硫黄系の切削油（穴加工用）０．５重量％及び第２表に示す添加剤を０．３重量％配合し、圧縮機油組成物を調製した。各組成物について、ＪＩＳ  Ｋ  ２５４０に準拠して１７０℃，７２時間熱安定度試験を実施し、析出物の有無を判定した。また、実施例２，参考例２，比較例６の組成物について、ＪＩＳ  Ｋ  ２５１４に準拠して１６５．５℃，２４０時間ＩＳＯＴ試験を実施し、全酸価の増加量を測定した。その結果を第２表に示す。
【００１６】
【表２】
0003841947.tif 000003
【００１７】
＊１：全塩基価１７０ｍｇＫＯＨ／ｇ（ＪＩＳ  Ｋ  ２５０１：過塩素酸法）
＊２：全塩基価１０ｍｇＫＯＨ／ｇ（ＪＩＳ  Ｋ  ２５０１：過塩素酸法）
＊３：全塩基価３００ｍｇＫＯＨ／ｇ（ＪＩＳ  Ｋ  ２５０１：過塩素酸法）
＊４：全塩基価２００ｍｇＫＯＨ／ｇ（ＪＩＳ  Ｋ  ２５０１：過塩素酸法）
＊５：ポリイソブテニルコハク酸イミド
【００１８】
【発明の効果】
本発明の回転式空気圧縮機油組成物は、酸化安定性、水分離性に優れ、かつスラッジ分散性効果も優れている。